(57)【特許請求の範囲】
【請求項１】
通信端末において、
少なくとも１つのプロセッサと、
メモリと、
複数のプログラムと、
を含み、
前記複数のプログラムは、メモリに格納されて前記少なくとも１つのプロセッサによって実行されるように構成され、少なくとも１つの第１アプリケーション及び前記第１アプリケーションに関連する使用情報を収集する第２アプリケーションを含み、
前記第２アプリケーションは、
アプリケーション管理インタフェースのホーム画面における前記第１アプリケーションのアイコン位置を示す使用情報を収集する情報収集コードと、
前記第１アプリケーションのアイコン位置を示す使用情報を前記第２アプリケーションに関連する上位システムに送信する情報送信コードと、
を含み、
前記第１アプリケーションのアイコン位置は前記通信端末のユーザによって決定可能なことを特徴とする通信端末。
【請求項２】
前記第１アプリケーションのアイコン位置を示す使用情報は、前記ホーム画面で前記第１アプリケーションのアイコンが配置された位置に付与される加重値を含むことを特徴とする請求項１に記載の通信端末。
【請求項３】
前記位置に付与された加重値は、前記ホーム画面が複数のページから構成された場合、ページの順に前方ページに配置されたアイコンが後方ページに配置されたアイコンよりも高い加重値が付与されることを特徴とする請求項２に記載の通信端末。
【請求項４】
前記位置に付与された加重値は、前記ホーム画面が少なくとも１つのページから構成された場合、同一ページ内で前方に配置されたアイコンが後方に配置されたアイコンよりも高い加重値が付与されることを特徴とする請求項２に記載の通信端末。
【請求項５】
前記位置に付与された加重値は、前記ホーム画面が複数の領域に区分された少なくとも１つのページから構成された場合、ホーム画面に設定されたアクセス環境に応じて、ユーザの接近性の高い領域に配置されたアイコンが接近性の低い領域に配置されたアイコンよりも高い加重値が付与されることを特徴とする請求項２に記載の通信端末。
【請求項６】
前記現在に実行されている第１アプリケーションを示す使用情報は、メモリ上で現在に実行されている第１アプリケーションに付与される加重値を含むことを特徴とする請求項１に記載の通信端末。
【請求項７】
前記現在に実行されている第１アプリケーションを示す使用情報は、現在に実行中である第１アプリケーションのリアルタイム順位を決定するための順位決定要素として用いられることを特徴とする請求項１に記載の通信端末。
【請求項８】
前記情報収集コードは、通信端末にインストールされた第１アプリケーションを示す使用情報、一定周期の間に実行された第１アプリケーションを示す使用情報、通信端末にインストールされた第１アプリケーションの販売料金の有無を示す使用情報、通信端末のユーザによる第１アプリケーションの推薦有無を示す使用情報のうち少なくとも１つをさらに収集することを特徴とする請求項１に記載の通信端末。
【請求項９】
インターネット上のアプリケーションに対して順位情報を提供するサーバにおいて、
通信端末にインストールされた少なくとも１つの第１アプリケーションに対して、通信端末のアプリケーション管理インタフェースのホーム画面における第１アプリケーションのアイコン位置を示す使用情報を収集する収集部と、
使用情報に対する統計を基準として前記第１アプリケーションの順位を提供する提供部とを備え、
前記第１アプリケーションのアイコン位置は前記通信端末のユーザによって決定可能であることを特徴とするサーバ。
【請求項１０】
前記収集部は、前記通信端末にインストールされて前記第１アプリケーションに関連する使用情報を提供する第２アプリケーションとの連係を介して通信端末から使用情報を収集することを特徴とする請求項９に記載のサーバ。
【請求項１１】
前記第１アプリケーションのアイコン位置を示す使用情報は、ホーム画面で第１アプリケーションのアイコンが配置された位置に付与される加重値を含み、
前記提供部は、前記第１アプリケーションごとに加重値を集計してアイコン位置に応じる第１アプリケーションの順位を提供することを特徴とする請求項９に記載のサーバ。
【請求項１２】
前記現在に実行されている第１アプリケーションを示す使用情報は、前記メモリ上で現在に実行されている第１アプリケーションに付与される加重値を含み、
前記提供部は前記、前記第１アプリケーションごとに加重値をリアルタイムに集計し、現在に実行中である第１アプリケーションのリアルタイム順位を提供することを特徴とする請求項９に記載のサーバ。
【請求項１３】
前記収集部は、前記通信端末にインストールされた第１アプリケーションを示す使用情報、前記一定周期の間に実行された第１アプリケーションを示す使用情報、前記通信端末にインストールされた第１アプリケーションの販売料金の有無を示す使用情報、前記通信端末のユーザによる第１アプリケーションの推薦有無を示す使用情報のうち少なくとも１つをさらに収集することを特徴とする請求項９に記載のサーバ。
【請求項１４】
前記提供部は、前記第１アプリケーションのインストール件数による順位、前記第１アプリケーションの実行件数による順位、前記有料で販売される第１アプリケーションのインストール件数による順位、前記無料で販売される第１アプリケーションのインストール件数による順位、前記第１アプリケーションの推薦件数による順位のうち少なくとも１つを提供することを特徴とする請求項１３に記載のサーバ。
【請求項１５】
前記提供部は、前記通信端末のユーザ居住地を基準として国内全体における第１アプリケーションの順位、国ごとの第１アプリケーションの順位、国内の地域ごとの前記第１アプリケーションの順位のうち少なくとも１つを提供することを特徴とする請求項９に記載のサーバ。
【請求項１６】
通信端末の制御方法において、
通信端末には少なくとも１つの第１アプリケーション及び第１アプリケーションに関連する使用情報を収集する第２アプリケーションがインストールされ、
前記第２アプリケーションで、アプリケーション管理インタフェースのホーム画面における第１アプリケーションのアイコン位置を示す使用情報を収集するステップと、
前記第２アプリケーションで、使用情報を第２アプリケーションに関連する上位システムに送信するステップと、
を含み、
前記第１アプリケーションのアイコン位置は前記通信端末のユーザによって決定可能なことを特徴とする制御方法。
【請求項１７】
前記第１アプリケーションのアイコン位置を示す使用情報は、ホーム画面で第１アプリケーションのアイコンが配置された位置に付与される加重値を含むことを特徴とする請求項１６に記載の制御方法。
【請求項１８】
前記位置に付与された加重値は、前記ホーム画面が複数のページから構成された場合、ページの順に前方ページに配置されたアイコンが後方ページに配置されたアイコンよりも高い加重値が付与されることを特徴とする請求項１７に記載の制御方法。
【請求項１９】
前記位置に付与された加重値は、前記ホーム画面が少なくとも１つのページから構成された場合、同一ページ内で上方に配置されたアイコンが下方に配置されたアイコンよりも高い加重値が付与されることを特徴とする請求項１７に記載の制御方法。
【請求項２０】
前記位置に付与された加重値は、前記ホーム画面が複数の領域に区分された少なくとも１つのページから構成された場合、ホーム画面に設定されたアクセス環境に応じて、ユーザの接近性の高い領域に配置されたアイコンが接近性の低い領域に配置されたアイコンよりも高い加重値が付与されることを特徴とする請求項１７に記載の制御方法。
【請求項２１】
前記現在に実行されている第１アプリケーションを示す使用情報は、前記メモリ上で現在に実行されている第１アプリケーションに付与される加重値を含むことを特徴とする請求項１６に記載の制御方法。
【請求項２２】
前記現在に実行されている第１アプリケーションを示す使用情報は、現在に実行中である第１アプリケーションのリアルタイム順位を決定するための順位決定要素として用いられることを特徴とする請求項１６に記載の制御方法。
【請求項２３】
コンピュータに、
アプリケーション管理インタフェースのホーム画面におけるアプリケーションのアイコン位置を示す使用情報を収集させ、
アプリケーション管理インタフェースのホーム画面におけるアプリケーションのアイコン位置を示す使用情報をアプリケーションの順位情報を提供するサーバに送信させ、
前記アプリケーションのアイコン位置は前記通信端末のユーザによって決定可能とさせる
ためのプログラム。
【発明の詳細な説明】
【技術分野】
【０００１】
本発明の実施形態はユーザの端末で取得した情報を用いてモバイルアプリケーションの順位を提供する方法及びシステムに関する。
【背景技術】
【０００２】
アプリケーションストア（Ａｐｐｌｉｃａｔｉｏｎ  Ｓｔｏｒｅ）を意味するアップストアは、モバイルアプリケーション（携帯電話に搭載されるスケジュール管理、アドレス帳、アラーム、計算機、ゲーム、動画、インターネット接続、音楽再生、ナビゲーション、ワード、アクセルなどのコンテンツアプリケーション）を自由に購買及び販売することのできるオンライン上のモバイルコンテンツ（ソフトウェア）市場を意味する。
【０００３】
アップストアは、大型業者が開発して移動通信会社が販売するものではなく、個人がアプリケーションを開発して販売する開放型の市場として、運営社で公開するＳＤＫ（Ｓｏｆｔｗａｒｅ  Ｄｅｖｅｌｏｐｍｅｎｔ  Ｋｉｔ、ソフトウェア開発キット）、Ｘｃｏｄｅなどのプログラムを用いて誰でも自身が開発したアプリケーションを全世界のスマートフォンユーザに販売することができる。個人開発者によって開発されたアプリケーションをアップストアに登録されると、消費者は無線通信に接続して自身が選択したアプリケーションを携帯電話にダウンロードしたり、パーソナルコンピュータ（ＰＣ）にダウンロードし、その後、携帯電話にダウンロードされたアプリケーションを移す。
【０００４】
このようなアップストアには、膨大量のアプリケーションを販売しているためユーザがアプリケーションを探すには相当な時間を消費しなければならない。大韓民国公開特許第１０−２０１１−００２０１７８号（公開日２０１１年０３月０２日）には、ユーザ端末情報に基づいて生成されたアプリケーションリストを提供してユーザ端末に適するアプリケーションのみを検索することのできる技術が開示されている。また、従来にはユーザの検索便宜のためにアップストアで直接アプリケーションをテーマごとに分類して提供したり、複数のアップストアで販売されているアプリケーションを紹介する形態のガイドアプリケーションが存在した。しかし、従来技術は、直観的な分類に応じてアプリケーションリストを提供することに過ぎないため、アプリケーションの紹介にサービス的な限界が存在した。また、ユーザの検索便宜の提供にその限界があった。
【先行技術文献】
【特許文献】
【０００５】
【特許文献１】大韓民国公開特許第１０−２０１１−００２０１７８号明細書
【発明の概要】
【発明が解決しようとする課題】
【０００６】
本明細書ではユーザの端末で取得されるアプリケーション使用情報に基づいて、モバイルアプリケーションに対して各種順位を提供するサービスモデルが提案される。
【０００７】
本発明の目的は、ユーザ端末にインストールされたアプリケーションに関連する使用情報を取得し、これに基づいてインターネット上のアプリケーションに対する統合順位を提供することのできる方法及びそのシステムを提供する。
【０００８】
本発明の他の目的は、ユーザ端末のアプリケーション管理インタフェース上にユーザが配置するアプリケーションのアイコン位置を基準とする新しい形態のアプリケーション順位を提供することのできる方法及びそのシステムを提供する。
【０００９】
本発明の他の目的は、一定周期の間の各種の順位情報だけではなく、現在のユーザ端末が最も多く実行しているアプリケーションのリアルタイム順位を提供することのできる方法及びそのシステムを提供する。
【課題を解決するための手段】
【００１０】
通信端末は、少なくとも１つのプロセッサと、メモリと、複数のプログラムとを含み、複数のプログラムは、メモリに格納されて少なくとも１つのプロセッサによって実行されるように構成され、少なくとも１つの第１アプリケーション及び第１アプリケーションに関連する使用情報を収集する第２アプリケーションを含んでもよい。ここで、第２アプリケーションは、アプリケーション管理インタフェースのホーム画面における第１アプリケーションのアイコン位置を示す使用情報、または、現在に実行されている第１アプリケーションを示す使用情報のうち少なくとも１つを収集する情報収集コードと、使用情報を第２アプリケーションに関連する上位システムに送信する情報送信コードとを含み、使用情報は、上位システムで第１アプリケーションの順位を決定するための順位決定要素として用いられてもよい。
【００１１】
一実施形態によると、第１アプリケーションのアイコン位置を示す使用情報は、ホーム画面で第１アプリケーションのアイコンが配置された位置に付与される加重値を含んでもよい。
【００１２】
他の実施形態によると、位置に付与された加重値は、ホーム画面が複数のページから構成された場合、ページの順に前方ページに配置されたアイコンが後方ページに配置されたアイコンよりも高い加重値が付与されてもよい。
【００１３】
他の実施形態によると、位置に付与された加重値は、ホーム画面が少なくとも１つのページから構成された場合、同一ページ内で前方に配置されたアイコンが後方に配置されたアイコンよりも高い加重値が付与されてもよい。
【００１４】
他の実施形態によると、位置に付与された加重値は、ホーム画面が複数の領域に区分された少なくとも１つのページから構成された場合、ホーム画面に設定されたアクセス環境に応じて、ユーザの接近性の高い領域に配置されたアイコンが接近性の低い領域に配置されたアイコンよりも高い加重値が付与されてもよい。
【００１５】
他の実施形態によると、現在に実行されている第１アプリケーションを示す使用情報は、メモリ上で現在に実行されている第１アプリケーションに付与される加重値を含んでもよい。
【００１６】
他の実施形態によると、現在に実行されている第１アプリケーションを示す使用情報は、現在に実行中である第１アプリケーションのリアルタイム順位を決定するための順位決定要素として用いられてもよい。
【００１７】
他の実施形態によると、情報収集コードは、通信端末にインストールされた第１アプリケーションを示す使用情報、一定周期の間に実行された第１アプリケーションを示す使用情報、通信端末にインストールされた第１アプリケーションの販売料金の有無を示す使用情報、通信端末のユーザによる第１アプリケーションの推薦の有無を示す使用情報のうち少なくとも１つをさらに収集してもよい。
【００１８】
インターネット上のアプリケーションに対して順位情報を提供するサーバは、通信端末にインストールされた少なくとも１つの第１アプリケーションに対して、通信端末のアプリケーション管理インタフェースのホーム画面における第１アプリケーションのアイコン位置を示す使用情報、または、通信端末のメモリ上で現在に実行されている第１アプリケーションを示す使用情報のうち少なくとも１つを収集する収集部と、使用情報に対する統計を基準として第１アプリケーションの順位を提供する提供部とを備えてもよい。
【００１９】
一実施形態によると、収集部は、通信端末にインストールされて第１アプリケーションに関連する使用情報を提供する第２アプリケーションとの連係を介して通信端末から使用情報を収集してもよい。
【００２０】
他の実施形態によると、第１アプリケーションのアイコン位置を示す使用情報は、ホーム画面で第１アプリケーションのアイコンが配置された位置に付与される加重値を含んでもよい。
【００２１】
他の実施形態によると、提供部は、第１アプリケーションごとに加重値を集計してアイコン位置に応じる第１アプリケーションの順位を提供してもよい。
【００２２】
他の実施形態によると、現在に実行されている第１アプリケーションを示す使用情報は、メモリ上で現在に実行されている第１アプリケーションに付与される加重値を含んでもよく、提供部は、第１アプリケーションごとに加重値をリアルタイムに集計し、現在に実行中である第１アプリケーションのリアルタイム順位を提供してもよい。
【００２３】
他の実施形態によると、収集部は、通信端末にインストールされた第１アプリケーションを示す使用情報、一定周期の間に実行された第１アプリケーションを示す使用情報、通信端末にインストールされた第１アプリケーションの販売料金の有無を示す使用情報、通信端末のユーザによる第１アプリケーションの推薦の有無を示す使用情報のうち少なくとも１つをさらに収集してもよい。
【００２４】
他の実施形態によると、提供部は、第１アプリケーションのインストール件数による順位、第１アプリケーションの実行件数による順位、有料で販売される第１アプリケーションのインストール件数による順位、無料で販売される第１アプリケーションのインストール件数による順位、第１アプリケーションの推薦の件数による順位のうち少なくとも１つを提供してもよい。
【００２５】
他の実施形態によると、提供部は、通信端末のユーザ居住地を基準として国内全体における第１アプリケーションの順位、国ごとの第１アプリケーションの順位、国内の地域ごとの第１アプリケーションの順位のうち少なくとも１つを提供してもよい。
【００２６】
通信端末には、少なくとも１つの第１アプリケーション及び第１アプリケーションに関連する使用情報を収集する第２アプリケーションがインストールされ、第２アプリケーションで、アプリケーション管理インタフェースのホーム画面における第１アプリケーションのアイコン位置を示す使用情報、または、現在に実行されている第１アプリケーションを示す使用情報のうち少なくとも１つを収集するステップと、第２アプリケーションで、使用情報を第２アプリケーションに関連する上位システムに送信するステップとを含んでもよい。ここで、使用情報は、上位システムで第１アプリケーションの順位を決定するための順位決定要素として用いられてもよい。
【発明の効果】
【００２７】
本発明によると、アプリケーションを直接に使用しているユーザの端末で取得することのできる様々な特徴に基づいてインターネット上のアプリケーションに対する統合順位を提供することでアプリケーションを紹介して推薦するときに有用な情報を提供することができ、これによって他のユーザにアプリケーションの検索便宜を提供することができる。
【００２８】
本発明によると、ユーザ端末のアプリケーション管理インタフェース上にユーザが配置するアプリケーションのアイコン位置をベースにしたアプリケーション順位を提供することで、ユーザによってアクセスしやすい位置に配置されて使用頻度の高いアプリケーションを紹介することができる。
【００２９】
本発明によると、現在のユーザ端末が最も多く実行しているアプリケーションのリアルタイム順位を提供することによって、一定周期の間の順位情報の他にもリアルタイムの人気アプリケーションを紹介することができる。
【図面の簡単な説明】
【００３０】
【図１】本発明の一実施形態に係るインターネット上のアプリケーションの順位情報を提供するサービスモデルを説明するための図である。
【図２】本発明の一実施形態に係るインターネット上のアプリケーションの順位情報を提供するサービスモデルを説明するための図である。
【図３】本発明の一実施形態に係るユーザ端末上のアプリケーションに対する使用情報を収集してサーバに送信するプログラムのプロセスを示すフローチャートである。
【図４】本発明の一実施形態に係るユーザ端末上でアプリケーションのアイコン位置に応じる使用情報を収集するためのロジックを説明するための図である。
【図５】本発明の一実施形態に係るユーザ端末上のアプリケーションに対するユーザの実際の使用統計に基づいたアプリケーション順位情報を提供するサーバの内部構成を示すブロック図である。
【図６】本発明の一実施形態に係るユーザ端末上のアプリケーションに対するユーザの実際の使用統計に基づいたアプリケーション順位情報を提供する方法を示すフローチャートである。
【発明を実施するための形態】
【００３１】
以下、本発明の実施形態を添付する図面を参照しながら詳細に説明する。
【００３２】
インターネット上のアプリケーションについて順位情報を提供するサーバシステムとユーザ端末の実施形態を説明する。
【００３３】
本明細書において、アプリケーションは通信端末に搭載可能な全てのアプリケーションを意味し、ユーザ端末はパーソナルコンピュータ、タブレット、スマートフォンなどアプリケーションを搭載してもよく、サーバシステムとの通信接続が可能な全ての通信端末を意味する。ここで、ユーザ端末は、ディスプレイ手段の一例として、タッチ検出ディスプレイを含んでもよい。タッチ検出ディスプレイとユーザとの間の接触ポイントはユーザの１つ以上の指またはスタイラスペンなどに対応する。
【００３４】
図１は、インターネット上のアプリケーションに対してユーザの使用情報をベースにした順位情報を提供するサービスモデルを示している。ここで、インターネット上のアプリケーションとは、ユーザ端末を対象にアプリケーションに対するダウンロードサービスを提供するアップストア（ａｐｐ  ｓｔｏｒｅ）１０１上に登録された全てのアプリケーションを意味する。ユーザはユーザ端末１０２を介してアップストア１０１に接続した後、アップストア１０１で必要なアプリケーションをユーザ端末１０２にダウンロード及びインストールしてもよい。ここで、アプリケーション順位提供システム１００は、ユーザ端末１０２にダウンロードしたアプリケーションデータを分析してアップストア１０１上のアプリケーションの順位情報を提供してもよい。
【００３５】
本実施形態において、アプリケーション順位提供システム１００は、ユーザがアプリケーションを実際に使用するものと関連して、ユーザ端末１０２で取得される様々な特徴（以下、「使用情報」と称する）に基づいて内部的に実現されたランキングロジックに応じて各種のアプリケーション順位を提供してもよい。
【００３６】
図２を参照すると、アプリケーション順位提供システム１００は、ユーザ端末１０２において、ユーザ端末１０２にインストールされたアプリケーションの使用情報を収集する機能を含むアプリケーション（以下、「情報収集アプリケーション」と称する）を提供してもよい（Ｓ２０１）。
【００３７】
ここで、情報収集アプリケーションは、インターネット上のアプリケーションの順位情報を提供する順位提供アプリケーションと結合された形態で構成されたり、順位提供アプリケーションとは別途のアプリケーションで構成してもよい。ユーザが、自身のユーザ端末１０２に情報収集アプリケーションをダウンロードしてインストールする過程（Ｓ２０２）において、アプリケーションの使用情報を上位システムのアプリケーション順位提供システム１００に提供することに同意すると（Ｓ２０３）、情報収集アプリケーションでアプリケーションの使用情報を自動収集してアプリケーション順位提供システム１００に送信する（Ｓ２０４）。
【００３８】
ここで、アプリケーション順位提供システム１００は、情報収集アプリケーションがインストールされたユーザ端末１０２からアプリケーションに対するユーザの使用情報を収集し、実際ユーザのアプリケーション使用の統計に基づいてアプリケーション順位を決定してもよい（Ｓ２０５）。
【００３９】
ここで、ユーザ端末１０２で取得した情報に基づいて決定されたアプリケーション順位情報は、情報収集アプリケーションまたは別途のアプリケーションによって提供されたり、または、様々なプラットフォームで提供されてもよい。
【００４０】
図３を参照して、情報収集アプリケーションのプロセスを具体的に説明する。
【００４１】
図３は、本発明の一実施形態に係るユーザ端末にインストールされたアプリケーションの使用情報を収集してサーバに送信する情報収集アプリケーションのプロセスを示すフローチャートである。情報収集アプリケーションはアプリケーションの使用情報を収集する情報収集コードと、アプリケーションの使用情報をサーバに送信する情報送信コードで構成されてもよい。
【００４２】
ステップＳ３１０において、ユーザ端末は情報収集アプリケーションの情報収集コードによってユーザ端末上のアプリケーションに関連する使用情報を収集する役割を行う。
【００４３】
本実施形態において、ユーザ端末にインストールされたアプリケーションの使用情報は次の通りである。
【００４４】
（１）ユーザ端末のホーム画面におけるアプリケーションのアイコン位置を示す使用情報
（２）ユーザ端末のメモリ上に現在に実行されているアプリケーションを示す使用情報
（３）最近の一定期間の間にユーザ端末に新しくダウンロードまたはアップデートされてインストールされたアプリケーションを示す使用情報
（４）最近の一定期間の間にユーザ端末で実行されたアプリケーションを示す使用情報
（５）ユーザ端末にインストールされたアプリケーションの販売料金の有無（有料または無料）を示す使用情報
（６）ユーザ端末のユーザによるアプリケーションの推薦有無を示す使用情報
【００４５】
アプリケーションの使用情報のうち（１）の使用情報は、ユーザがアイコンをアクセスしやすい位置に置いて使用する、接近性を把握して順位を集計する順位決定要素として用いられてもよい。また、(２)の使用情報は、現在のユーザ端末が多く実行しているアプリケーションを分析してリアルタイムの人気順位を集計する順位決定要素として用いられてもよい。また、（３）の使用情報は、最近の一定周期（例えば、１ｄａｙ）を基準としてユーザが端末にアプリケーションをインストールしたインストール件数を把握して順位を集計する順位決定要素として用いられてもよい。また、（４）の使用情報は、最近の一定周期を基準としてユーザが端末でアプリケーションを実行した実行件数を把握して順位を集計する順位決定要素として用いられてもよい。また、（５）の使用情報は、アプリケーションを有料で販売するものと無料で販売するものとを区分し、有料アプリケーションと無料アプリケーションのインストール件数をそれぞれ把握して順位を集計する順位決定要素として用いられてもよい。最後に、（６）の使用情報は、最近の一定周期を基準としてユーザがアプリケーションを推薦した推薦件数を把握して順位を集計する順位決定要素として用いられてもよい。
【００４６】
詳細に、アプリケーションの使用情報のうち（１）の使用情報は、ホーム画面でアプリケーションのアイコンが配置された位置に付与される加重値を含んでもよい。ユーザ端末は、アプリケーション管理インタフェースのホーム画面に対して一種の座標値のような位置値を有し、ユーザの接近性を考慮して位置値に応じて加重値を付与してもよい。そして、ホーム画面に対するアクセス環境の一例として、ユーザの右利き／左利きの設定を含んでもよい。
【００４７】
右利きの場合、ホーム画面の右側の下方部分が前の部分に該当して接近性の高いものと定義される一方、左利きの場合、ホーム画面の左側の下方部分が前の部分に該当して接近性が高いものと定義される。
【００４８】
一例として、ホーム画面が複数のページから構成された場合、ページ順に前方ページに配置されたアイコンは後方ページに配置されたアイコンよりも高い加重値を付与してもよい。
【００４９】
他の例として、ホーム画面が少なくとも１つのページから構成された場合、同一ページ内ではホーム画面に設定されたアクセス環境を基準に基づき、上方に配置されたアイコンは下方に配置されたアイコンに比べて高い加重値を付与してもよい。
【００５０】
他の例として、ホーム画面が複数の領域に区分された少なくとも１つのページから構成された場合、ホーム画面に設定されたアクセス環境に応じて接近性の高い領域に配置されたアイコンに対して接近性の低い位置に配置されたアイコンよりも高い加重値を付与してもよい。
【００５１】
図４を参照すると、ユーザが右利きとしてアクセス環境を設定した場合、ホーム画面４１０のようなページ内であれば、アイコンＡ４０１に比べてアイコンＢ４０２に加重値をさらに付与してもよい。また、ホーム画面４１０が第１領域４１１と第２領域４１２に区分される場合、ユーザの立場から頻繁に使用するアプリケーションのアイコンを主に第２領域４１２に配置するため、第１領域４１１に配置されたアイコンＢ４０２に比べて第２領域４１２に配置されたアイコンＣ４０４にさらに高い加重値を付与してもよい。
【００５２】
同じ論理で、アンドロイドベースのアプリケーション管理インタフェースではホーム画面が「ホーム（Ｈｏｍｅ）」ページと「メインメニュー（ｍａｉｎ  ｍｅｎｕ）」ページから構成されるが、ここで、ユーザが頻繁に使用するアプリケーションの場合、主にホームページにアイコンを配置するため、これもホームページに配置されたアイコンにメインメニューページよりも高い加重値を付与してもよい。
【００５３】
また、アイコンＣ４０４とアイコンＤ４０３が同一領域の第２領域４１２内に位置しても、アイコンＤ４０３よりも前方に配置されたアイコンＣ４０４に加重値をさらに付与してもよい。
【００５４】
したがって、（１）の使用情報は、アプリケーションに対するユーザの接近性を分析してアクセスしやすい位置に配置されたアプリケーション順位の集計に使用されてもよい。
【００５５】
次に、アプリケーションの使用情報のうち、（２）の使用情報は、ユーザ端末内のメモリに現在使用しているアプリケーションを示す使用情報である。ここで、メモリに現在使用しているアプリケーションはユーザが現在の利用中にあるアプリケーションを意味するものとして、（２）の使用情報には、メモリ上に現在に実行されているアプリケーションに付与される加重値を含んでもよい。すなわち、（２）の使用情報は、現在のユーザ端末によって実行されているアプリケーションを分析してリアルタイム人気順位の集計に使用されてもよい。
【００５６】
再び図３を参照すると、ステップＳ３２０において、ユーザ端末はステップＳ３１０で収集されたアプリケーションの使用情報を情報収集アプリケーションの情報送信コードによってサーバに送信してもよい。
【００５７】
アプリケーションの使用情報のうち（２）の使用情報は、実行中のアプリケーションがある場合、リアルタイムにサーバに送信され、その他の使用情報は一定周期に送信されたり以前周期の使用情報に変更内容があるとき送信されてもよい。ここで、サーバシステムのアプリケーション順位提供システムでは、ユーザ端末から収集された（１）から（６）の使用情報のうち、少なくとも１つを含むアプリケーションの使用情報に基づいてアプリケーション順位を集計する。
【００５８】
情報収集アプリケーションによってユーザが実際に使用したアプリケーションの使用情報をサーバに提供するユーザ端末の装置構成は図示していないが、メモリ、少なくとも１つのプロセッサ、複数のプログラムを含んでもよい。ここで、複数のプログラムは、メモリに格納されて少なくとも１つのプロセッサによって実行されるように構成してもよく、これは少なくとも１つのアプリケーションと、アプリケーションの使用情報を収集する機能の情報収集アプリケーションを含んでもよい。
【００５９】
そして、ユーザ端末は、ＣＤＭＡ、ＷＣＤＭＡ、ＬＴＥ、Ｗｉ−Ｆｉ、ブルートゥース（登録商標）などの様々な通信プロトコルを支援し、サーバシステムのアプリケーション順位提供システムとの通信を許可することのできる通信モジュールを含んでもよい。
【００６０】
図５を参照して、アプリケーション順位を集計するアプリケーション順位提供システムの内部構成を具体的に説明する。
【００６１】
図５は、本発明の一実施形態に係る実際ユーザから収集されたアプリケーションの使用情報をベースにしたアプリケーション順位を提供するアプリケーション順位提供システムの内部構成を示すブロック図である。図５に示すように、アプリケーション順位提供システム５００は、収集部５１０と、提供部５２０で構成されてもよい。
【００６２】
収集部５１０は、ユーザ端末にインストールされたアプリケーションの使用情報を収集する役割を行う。収集部５１０は、ユーザ端末にインストールされた情報収集アプリケーションとの連係によってユーザ端末からユーザ端末上にあるアプリケーションの実際の使用情報を受信して収集してもよい。
【００６３】
収集部５１０は、（１）ユーザ端末のホーム画面におけるアプリケーションのアイコン位置を示す使用情報、（２）ユーザ端末のメモリ上に現在に実行されているアプリケーションを示す使用情報、（３）最近の一定期間の間にユーザ端末に新しくダウンロードまたはアップデートされてインストールされたアプリケーションを示す使用情報、（４）最近の一定期間の間にユーザ端末で実行されたアプリケーションを示す使用情報、（５）ユーザ端末にインストールされたアプリケーションの販売料金の有無（有料または無料）を示す使用情報、（６）ユーザ端末のユーザによるアプリケーションの推薦有無を示す使用情報のうち少なくとも１つを含むアプリケーションの使用情報を収集してもよい。
【００６４】
また、収集部５１０は、情報収集アプリケーションをインストールしたユーザ居住地に関連する情報を追加収集してもよい。ここで、ユーザは、（１）から（６）の使用情報及び居住地情報に関する情報提供を全ての情報に対して一括的あるいは個別的に同意してもよく、ここで、収集部５１０はユーザが情報提供に同意した情報を選別して収集してもよい。
【００６５】
提供部５２０は、収集部５１０で収集された、（１）から（６）の使用情報のうち少なくとも１つを含むアプリケーションの使用情報をベースにしたアプリケーション順位を集計してもよい。
【００６６】
ここで、（１）から（６）の使用情報は各情報に対応する加重値を含んでもよい。一例として、（１）の使用情報は、ユーザ端末のホーム画面でアプリケーションのアイコンが配置された位置に付与される加重値を含み、（２）の使用情報は、ユーザ端末のメモリ上に現在に実行されているアプリケーションに付与される加重値を含んでもよい。ここで、提供部５２０は、（１）から（６）の使用情報に対して加重値を合算してアプリケーション順位を集計してもよい。言い換えると、提供部５２０は（１）から（６）の使用情報をベースにしてユーザが配置するアイコン位置に応じる接近性、ユーザが現在の実行しているリアルタイム実行件数、一定周期の間にユーザが端末にインストールしたインストール件数（有料アプリケーションのインストール件数と無料アプリケーションのインストール件数を区分）、一定周期の間にユーザが実際に実行した実行件数、一定周期の間にユーザが推薦した推薦件数のうち少なくとも１つの順にアプリケーション順位を集計してもよい。
【００６７】
提供部５２０は（１）から（６）の使用情報を全て結合してアプリケーション順位を集計したり、（１）から（６）の使用情報を個別あるいは一部を選択してアプリケーション順位を集計してもよい。
【００６８】
また、提供部５２０は、アプリケーションの使用情報を収集した対象であるユーザの居住地を基準として国内全体におけるアプリケーション順位、国ごとのアプリケーション順位、国内の各地域ごとのアプリケーション順位などを集計してもよい。提供部５２０は（１）から（６）の使用情報に基づいて集計されたアプリケーション順位を情報収集アプリケーションまたは別途のアプリケーションによって提供したり、または、様々なプラットフォームで提供してもよい。
【００６９】
図６は、本発明の一実施形態に係る実際ユーザから収集されたアプリケーションの使用情報をベースにしたアプリケーション順位を提供するアプリケーション順位提供方法を示すフローチャートである。本実施形態に係るアプリケーション順位提供方法は、図５を参照して説明したアプリケーション順位提供システム５００によって各ステップが行われる。
【００７０】
ステップＳ６１０において、アプリケーション順位提供システム５００はユーザ端末にインストールされた情報収集アプリケーションとの連係によってユーザ端末からユーザ端末上にあるアプリケーションの実際の使用情報を受信して収集してもよい。
【００７１】
ここで、アプリケーション順位提供システム５００は、ユーザ端末のホーム画面におけるアプリケーションのアイコン位置を示す使用情報、ユーザ端末のメモリ上に現在に実行されているアプリケーションを示す使用情報、最近の一定期間の間にユーザ端末に新しくダウンロードまたはアップデートしてインストールされたアプリケーションを示す使用情報、最近の一定期間の間にユーザ端末で実行されたアプリケーションを示す使用情報、ユーザ端末にインストールされたアプリケーションの販売料金の有無（有料または無料）を示す使用情報、ユーザ端末のユーザによるアプリケーションの推薦有無を示す使用情報のうち少なくとも１つを含むアプリケーションの使用情報を収集してもよい。
【００７２】
また、アプリケーション順位提供システム５００は、情報収集アプリケーションをインストールしたユーザ居住地に関連する情報を追加収集してもよい。
【００７３】
ステップＳ６２０において、アプリケーション順位提供システム５００は、アプリケーションの使用情報をベースにしたアプリケーション順位を集計して提供してもよい。
【００７４】
アプリケーション順位提供システム５００は、アプリケーションの使用情報をベースにしてユーザが配置するアイコン位置に応じる接近性、ユーザが現在の実行しているリアルタイム実行件数、一定周期の間にユーザが端末にインストールしたインストール件数（有料アプリケーションのインストール件数と無料アプリケーションのインストール件数を区分）、一定周期の間にユーザが実際実行した実行件数、一定周期の間にユーザが推薦した推薦件数のうち少なくとも１つの順にアプリケーション順位を集計してもよい。
【００７５】
また、アプリケーション順位提供システム５００は、アプリケーションの使用情報を収集した対象であるユーザの居住地を基準として国内全体におけるアプリケーション順位、国ごとのアプリケーション順位、国内の地域ごとのアプリケーション順位などを集計してもよい。
【００７６】
したがって、本実施形態は、アプリケーションを実際用いるユーザの端末で取得できる様々な情報に基づいてアプリケーション順位を提供してもよく、特にユーザが配置するアイコン位置に応じる接近性を把握してアプリケーション順位を集計したり、現在のユーザが多く実行しているアプリケーションを分析してリアルタイム人気順位を集計することができる。
【００７７】
本発明の実施形態は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などの単独または組み合わせたものを含んでもよい。
【００７８】
媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を格納して実行するように特別に構成されたハードウェア装置が含まれてもよい。
【００７９】
プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【００８０】
上述したように本発明を限定された実施形態と図面によって説明したが、本発明は、上記の実施形態に限定されることなく、本発明が属する分野における通常の知識を有する者であれば、このような実施形態から様々な修正及び変形が可能である。
したがって、本発明の範囲は、開示された実施形態に限定して定められるものではなく、特許請求の範囲だけではなく特許請求の範囲と均等なものなどによって定められるものである。
【符号の説明】
【００８１】
５００      アプリケーション順位提供システム
５１０      収集部
５２０      提供部
【図１】
0005559273.tif 000002
【図２】
0005559273.tif 000003
【図３】
0005559273.tif 000004
【図４】
0005559273.tif 000005
【図５】
0005559273.tif 000006
【図６】
0005559273.tif 000007